(57)【特許請求の範囲】
【請求項１】
第１のチューナと、第２のチューナと、第３のチューナとを備えた放送受信装置であって、
前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック部と、
前記第１のチューナが受信する放送チャネルを、第１の所定の契機で、前記代替放送チャネルチェック部がチェックした受信品質が良好である前記第１チューナ代替放送チャネルに切り替え、前記第２のチューナが受信する放送チャネルを、第２の所定の契機で、前記代替放送チャネルチェック部がチェックした受信品質が良好である前記第２チューナ代替放送チャネルに切り替えるネットワークフォロー実行部とを有し、
前記代替放送チャネルチェック部は、
少なくとも、前記第１のチューナの受信品質のレベルが充分に良好でなく、前記第２のチューナの受信品質のレベルが充分に良好である場合に、前記第３のチューナを用いた前記第１チューナ代替放送チャネルの受信品質のチェックを、前記第３のチューナを用いた前記第２チューナ代替放送チャネルの受信品質のチェックよりも大きい頻度で行い、
少なくとも、前記第１のチューナの受信品質のレベルが充分に良好であり、前記第２のチューナの受信品質のレベルが充分に良好でない場合に、前記第３のチューナを用いた前記第２チューナ代替放送チャネルの受信品質のチェックを、前記第３のチューナを用いた前記第１チューナ代替放送チャネルの受信品質のチェックよりも大きい頻度で行うことを特徴とする放送受信装置。
【請求項２】
請求項１記載の放送受信装置であって、
前記代替放送チャネルチェック部は、
前記第３のチューナを用いた前記第１チューナ代替放送チャネルの受信品質のチェックと、前記第３のチューナを用いた前記第２チューナ代替放送チャネルの受信品質のチェックとを交互に繰り返し行い、
少なくとも、前記第１のチューナの受信品質のレベルが充分に良好でなく、前記第２のチューナの受信品質のレベルが充分に良好である場合に、前記第１チューナ代替放送チャネルの受信品質のチェックを行う各回の時間長を、前記第２チューナ代替放送チャネルの受信品質のチェックを行う各回の時間長よりも大きくし、
少なくとも、前記第１のチューナの受信品質のレベルが充分に良好であり、前記第２のチューナの受信品質のレベルが充分に良好でない場合に、前記第２チューナ代替放送チャネルの受信品質のチェックを行う各回の時間長を、前記第１チューナ代替放送チャネルの受信品質のチェックを行う各回の時間長よりも大きくすることを特徴とする放送受信装置。
【請求項３】
請求項１記載の放送受信装置であって、
前記代替放送チャネルチェック部は、
前記第３のチューナを用いた前記第１チューナ代替放送チャネルの受信品質のチェックと、前記第３のチューナを用いた前記第２チューナ代替放送チャネルの受信品質のチェックとを交互に繰り返し行い、
少なくとも、前記第１のチューナの受信品質のレベルが充分に良好でなく、前記第２のチューナの受信品質のレベルが充分に良好である場合に、前記第１チューナ代替放送チャネルの受信品質のチェックを行う各回の時間長の、前記第２チューナ代替放送チャネルの受信品質のチェックを行う各回の時間長に対する比を、前記第１チューナ代替放送チャネルの数の前記第２チューナ代替放送チャネルの数に対する比よりも大きくし、
少なくとも、前記第１のチューナの受信品質のレベルが充分に良好であり、前記第２のチューナの受信品質のレベルが充分に良好でない場合に、前記第２チューナ代替放送チャネルの受信品質のチェックを行う各回の時間長の、前記第１チューナ代替放送チャネルの受信品質のチェックを行う各回の時間長に対する比を、前記第２チューナ代替放送チャネルの数の前記第１チューナ代替放送チャネルの数に対する比よりも大きくすることを特徴とする放送受信装置。
【請求項４】
請求項２または３記載の放送受信装置であって、
前記代替放送チャネルチェック部は、
少なくとも、前記第１のチューナの受信品質のレベルが充分に良好でなく、前記第２のチューナの受信品質のレベルが充分に良好である場合に、初回の前記第１チューナ代替放送チャネルの受信品質のチェックを、初回の前記第２チューナ代替放送チャネルの受信品質のチェックより前に行い、
少なくとも、前記第１のチューナの受信品質のレベルが充分に良好であり、前記第２のチューナの受信品質のレベルが充分に良好でない場合に、初回の前記第２チューナ代替放送チャネルの受信品質のチェックを、初回の前記第１チューナ代替放送チャネルの受信品質のチェックより前に行うことを特徴とする放送受信装置。
【請求項５】
請求項１、２、３または４記載の放送受信装置であって、
前記代替放送チャネルチェック部は、
少なくとも、前記第１のチューナの受信品質と前記第２のチューナの受信品質の双方のレベルが充分に良好である場合に、前記第３のチューナを用いた前記第１チューナ代替放送チャネルの受信品質のチェックを、前記第３のチューナを用いた前記第２チューナ代替放送チャネルの受信品質のチェックと同じ頻度で行うことを特徴とする放送受信装置。
【請求項６】
請求項１、２、３、４または５記載の放送受信装置であって、
前記代替放送チャネルチェック部は、
少なくとも、前記第１のチューナの受信品質と前記第２のチューナの受信品質の双方のレベルが充分に良好でない場合に、前記第３のチューナを用いた前記第１チューナ代替放送チャネルの受信品質のチェックを、前記第３のチューナを用いた前記第２チューナ代替放送チャネルの受信品質のチェックと同じ頻度で行うことを特徴とする放送受信装置。
【請求項７】
請求項１、２、３、４または５記載の放送受信装置であって、
前記代替放送チャネルチェック部は、
少なくとも、前記第１のチューナの受信品質と前記第２のチューナの受信品質の双方のレベルが充分に良好でない場合に、前記第３のチューナを用いた前記第１チューナ代替放送チャネルの受信品質のチェックを、前記第３のチューナを用いた前記第２チューナ代替放送チャネルの受信品質のチェックよりも大きい頻度で行うことを特徴とする放送受信装置。
【請求項８】
第１のチューナと、第２のチューナと、第３のチューナとを備えた放送受信装置であって、
前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック部と、
前記第１のチューナが受信する放送チャネルを、第１の所定の契機で、前記代替放送チャネルチェック部がチェックした受信品質が良好である前記第１チューナ代替放送チャネルに切り替え、前記第２のチューナが受信する放送チャネルを、第２の所定の契機で、前記代替放送チャネルチェック部がチェックした受信品質が良好である前記第２チューナ代替放送チャネルに切り替えるネットワークフォロー実行部とを有し、
前記代替放送チャネルチェック部は、
前記第３のチューナを用いた前記第１チューナ代替放送チャネルの受信品質のチェックと、前記第３のチューナを用いた前記第２チューナ代替放送チャネルの受信品質のチェックとを交互に行うと共に、
少なくとも、前記第１のチューナの受信品質のレベルが充分に良好でなく、前記第２のチューナの受信品質のレベルが充分に良好である場合に、初回の前記第１チューナ代替放送チャネルの受信品質のチェックを、初回の前記第２チューナ代替放送チャネルの受信品質のチェックより前に行い、
少なくとも、前記第１のチューナの受信品質のレベルが充分に良好であり、前記第２のチューナの受信品質のレベルが充分に良好でない場合に、初回の前記第２チューナ代替放送チャネルの受信品質のチェックを、初回の前記第１チューナ代替放送チャネルの受信品質のチェックより前に行うことを特徴とする放送受信装置。
【請求項９】
請求項１、２、３、４、５、６、７または８記載の放送受信装置であって、
当該放送受信装置は自動車に搭載される放送受信装置であることを特徴とする放送受信装置。
【請求項１０】
請求項１、２、３、４、５、６、７、８または９記載の放送受信装置であって、
当該放送受信装置は、RDS（Radio Data System）によってデータが音声に多重化されて放送されるFMラジオ放送を受信する放送受信装置であって、
前記放送チャネルは、前記FMラジオ放送の周波数チャネルであることを特徴とする放送受信装置。
【請求項１１】
第１のチューナと、第２のチューナと、第３のチューナとを備えた放送受信装置において、前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック方法であって、
前記放送受信装置において、前記第１のチューナの受信品質のレベルと前記第２のチューナの受信品質のレベルを検出する検出ステップと、
前記放送受信装置において、前記第１のチューナの受信品質のレベルが充分に良好でなく、前記第２のチューナの受信品質のレベルが充分に良好である場合に、前記第３のチューナを用いた前記第１チューナ代替放送チャネルの受信品質のチェックを、前記第３のチューナを用いた前記第２チューナ代替放送チャネルの受信品質のチェックよりも大きい頻度で行い、前記第１のチューナの受信品質のレベルが充分に良好であり、前記第２のチューナの受信品質のレベルが充分に良好でない場合に、前記第３のチューナを用いた前記第２チューナ代替放送チャネルの受信品質のチェックを、前記第３のチューナを用いた前記第１チューナ代替放送チャネルの受信品質のチェックよりも大きい頻度で行うチェックステップとを有することを特徴とする代替放送チャネルチェック方法。
【請求項１２】
第１のチューナと、第２のチューナと、第３のチューナとを備えた放送受信装置において、前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック方法であって、
前記放送受信装置において、前記第１のチューナの受信品質のレベルと前記第２のチューナの受信品質のレベルを検出する検出ステップと、
前記第３のチューナを用いた前記第１チューナ代替放送チャネルの受信品質のチェックと、前記第３のチューナを用いた前記第２チューナ代替放送チャネルの受信品質のチェックとを交互に行うチェックステップとを有し、
前記チェックステップにおいて、前記第１のチューナの受信品質のレベルが充分に良好でなく、前記第２のチューナの受信品質のレベルが充分に良好である場合に、初回の前記第１チューナ代替放送チャネルの受信品質のチェックを、初回の前記第２チューナ代替放送チャネルの受信品質のチェックより前に行い、前記第１のチューナの受信品質のレベルが充分に良好であり、前記第２のチューナの受信品質のレベルが充分に良好でない場合に、初回の前記第２チューナ代替放送チャネルの受信品質のチェックを、初回の前記第１チューナ代替放送チャネルの受信品質のチェックより前に行うことを特徴とする代替放送チャネルチェック方法。
【発明の詳細な説明】
【技術分野】
【０００１】
本発明は、放送受信装置におけるネットワークフォローの技術に関するものである。
【背景技術】
【０００２】
従来より、ＲＤＳ (Radio Data System)等の、データを伴うオーディオ放送を行うラジオ放送が知られている。これらのラジオ放送で放送されるデータには、AFと呼ばれる、同じプログラムを放送している周波数チャネルの情報が含まれており、このようなラジオ放送を受信するラジオ受信装置では、AFを参照して受信中の周波数チャネルと同じプログラムを放送している他の各周波数チャネルの受信状態を順次チェックするＡＦチェックを行い、受信中の周波数チャネルの受信状態が劣化したときに、受信中の周波数チャネルと同じプログラムを放送している他の周波数チャネルのうちの受信状態のよい周波数チャネルに、受信する周波数チャネルを切り替えるＮＦ（ネットワークフォロー）動作を行う。
【０００３】
また、このようなＮＦ動作を行うラジオ受信装置としては、二つのチューナを用いてフェーズダイバーシティ方式により一つの周波数チャネルからのプログラムの受信を行うラジオ受信装置において、受信中の周波数チャネルの受信状態が劣化したならば、一方のチューナをプログラムの受信に、他方のチューナをＡＦチェックに用いるラジオ受信装置が知られている（たとえば、特許文献１）。
【０００４】
また、テレビ/ラジオ受信装置に、第１、第２、第３の３つのチューナを備え、第１のチューナと第２のチューナを、それぞれ異なる二つのプログラムの受信に用い、第３のチューナを第１のチューナと第２のチューナのうちの一方のチューナで受信しているプログラムと同じプログラムを放送しているチャネルのサーチに用いる技術も知られている（たとえば、特許文献２）。
【先行技術文献】
【特許文献】
【０００５】
【特許文献１】特開２００７-２８８６３１号公報
【特許文献２】特開２００６-３０４０７３号公報
【発明の概要】
【発明が解決しようとする課題】
【０００６】
ラジオ受信装置に第１、第２、第３の３つのチューナを備え、第１のチューナと第２のチューナを異なるプログラムの受信に用い、第３のチューナをＡＦチェックに用いる場合、第３のチューナで第１のチューナと第２のチューナのうちの一方のチューナで受信している周波数チャネルのＡＦチェックのみに用いると、他方のチューナで受信している周波数チャネルのＡＦチェックが行えなくなり、他方のチューナについてＮＦ動作を行えなくなる。
【０００７】
一方、第３のチューナで第１のチューナで受信している周波数チャネルのＡＦチェックと、第２のチューナで受信している周波数チャネルのＡＦチェックとを当該順序で行うようにすると、第２のチューナのＡＦチェックの完了まで比較的長時間を要することとなる。そして、第２のチューナのＮＦ動作は第２のチューナのＡＦチェックの完了まで行うことができないため、第２のチューナのＡＦチェックの完了前に第２のチューナの受信状態が劣化したときは、第２のチューナのＮＦ動作をすみやかに行うことができなくなる。
【０００８】
そこで、本発明は、第１、第２、第３の３つのチューナを備え、第１のチューナと第２のチューナを異なる放送チャネルの受信に用いる放送受信装置において、第１のチューナと第２のチューナの受信状態が劣化したときに、当該受信状態が劣化したチューナで受信する放送チャネルを、すみやかに、受信中の放送チャネルと同じプログラムを放送している受信状態のよい他の放送チャネルに切り替えること課題とする。
【課題を解決するための手段】
【０００９】
前記課題達成のために、本発明は、第１のチューナと、第２のチューナと、第３のチューナとを備えた放送受信装置に、前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック部と、前記第１のチューナが受信する放送チャネルを、第１の所定の契機で、前記代替放送チャネルチェック部がチェックした受信品質が良好である前記第１チューナ代替放送チャネルに切り替え、前記第２のチューナが受信する放送チャネルを、第２の所定の契機で、前記代替放送チャネルチェック部がチェックした受信品質が良好である前記第２チューナ代替放送チャネルに切り替えるネットワークフォロー実行部とを備えたものである。ただし、前記代替放送チャネルチェック部は、少なくとも、前記第１のチューナの受信品質のレベルが充分に良好でなく、前記第２のチューナの受信品質のレベルが充分に良好である場合に、前記第３のチューナを用いた前記第１チューナ代替放送チャネルの受信品質のチェックを、前記第３のチューナを用いた前記第２チューナ代替放送チャネルの受信品質のチェックよりも大きい頻度で行い、少なくとも、前記第１のチューナの受信品質のレベルが充分に良好であり、前記第２のチューナの受信品質のレベルが充分に良好でない場合に、前記第３のチューナを用いた前記第２チューナ代替放送チャネルの受信品質のチェックを、前記第３のチューナを用いた前記第１チューナ代替放送チャネルの受信品質のチェックよりも大きい頻度で行う。
【００１０】
このような放送受信装置によれば、前記第１のチューナと前記第２のチューナとが異なる放送チャネルを受信しているときに、第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックを行う際に、前記第１のチューナと前記第２のチューナのうちの、受信品質が劣っている方のチューナの代替放送チャネルの受信品質のチェックを、より大きい頻度で行う。したがって、受信品質が劣っている方のチューナの代替放送チャネルの受信品質のチェックが、よりすみやかに完了することが期待できる。
【００１１】
一方で、前記第１のチューナと前記第２のチューナのうちの受信品質が充分に良好でない方のチューナは、他方のチューナの受信品質が充分に良好である場合には、当該他方のチューナよりも近い将来にネットワークフォローを行わなければならなくなる蓋然性が大きい。
【００１２】
したがって、本受信装置によれば、前記第１のチューナと前記第２のチューナのいずれの受信品質が劣化した場合でも、すみやかに、当該受信品質が劣化したチューナについてのネットワークフォローを行えることが期待できる。
【００１３】
ここで、このような放送受信装置は、前記代替放送チャネルチェック部において、前記第３のチューナを用いた前記第１チューナ代替放送チャネルの受信品質のチェックと、前記第３のチューナを用いた前記第２チューナ代替放送チャネルの受信品質のチェックとを交互に繰り返し行うと共に、少なくとも、前記第１のチューナの受信品質のレベルが充分に良好でなく、前記第２のチューナの受信品質のレベルが充分に良好である場合に、前記第１チューナ代替放送チャネルの受信品質のチェックを行う各回の時間長を、前記第２チューナ代替放送チャネルの受信品質のチェックを行う各回の時間長よりも大きくし、少なくとも、前記第１のチューナの受信品質のレベルが充分に良好であり、前記第２のチューナの受信品質のレベルが充分に良好でない場合に、前記第２チューナ代替放送チャネルの受信品質のチェックを行う各回の時間長を、前記第１チューナ代替放送チャネルの受信品質のチェックを行う各回の時間長よりも大きくするように構成してもよい。
【００１４】
または、このような放送受信装置は、前記代替放送チャネルチェック部において、前記第３のチューナを用いた前記第１チューナ代替放送チャネルの受信品質のチェックと、前記第３のチューナを用いた前記第２チューナ代替放送チャネルの受信品質のチェックとを交互に行うとともに、少なくとも、前記第１のチューナの受信品質のレベルが充分に良好でなく、前記第２のチューナの受信品質のレベルが充分に良好である場合に、前記第１チューナ代替放送チャネルの受信品質のチェックを行う各回の時間長の、前記第２チューナ代替放送チャネルの受信品質のチェックを行う各回の時間長に対する比を、前記第１チューナ代替放送チャネルの数の前記第２チューナ代替放送チャネルの数に対する比よりも大きくし、少なくとも、前記第１のチューナの受信品質のレベルが充分に良好であり、前記第２のチューナの受信品質のレベルが充分に良好でない場合に、前記第２チューナ代替放送チャネルの受信品質のチェックを行う各回の時間長の、前記第１チューナ代替放送チャネルの受信品質のチェックを行う各回の時間長に対する比を、前記第２チューナ代替放送チャネルの数の前記第１チューナ代替放送チャネルの数に対する比よりも大きくするように構成してもよい。
【００１５】
このようにすることにより、前記第１のチューナと前記第２のチューナのうちの、一方のチューナの受信品質が充分に良好でなく、他方のチューナの受信品質が充分に良好である場合に、受信品質が充分に良好でない方のチューナの代替放送チャネルの全ての受信品質のチェックが、他方のチューナの代替放送チャネルの全ての受信品質のチェックより前に完了することを保証できるようになる。
【００１６】
ここで、以上のような前記第１チューナ代替放送チャネルの受信品質のチェックと、前記第２チューナ代替放送チャネルの受信品質のチェックとを交互に行う放送受信装置は、前記代替放送チャネルチェック部において、少なくとも、前記第１のチューナの受信品質のレベルが充分に良好でなく、前記第２のチューナの受信品質のレベルが充分に良好である場合に、初回の前記第１チューナ代替放送チャネルの受信品質のチェックを、初回の前記第２チューナ代替放送チャネルの受信品質のチェックより前に行い、少なくとも、前記第１のチューナの受信品質のレベルが充分に良好であり、前記第２のチューナの受信品質のレベルが充分に良好でない場合に、初回の前記第２チューナ代替放送チャネルの受信品質のチェックを、初回の前記第１チューナ代替放送チャネルの受信品質のチェックより前に行うように構成することが好ましい。
【００１７】
また、以上の各放送受信装置は、前記代替放送チャネルチェック部において、少なくとも、前記第１のチューナの受信品質と前記第２のチューナの受信品質の双方のレベルが充分に良好である場合に、前記第３のチューナを用いた前記第１チューナ代替放送チャネルの受信品質のチェックを、前記第３のチューナを用いた前記第２チューナ代替放送チャネルの受信品質のチェックと同じ頻度で行うように構成することが好ましい。
【００１８】
また、以上の放送受信装置は、前記代替放送チャネルチェック部において、少なくとも、前記第１のチューナの受信品質と前記第２のチューナの受信品質の双方のレベルが充分に良好でない場合に、前記第３のチューナを用いた前記第１チューナ代替放送チャネルの受信品質のチェックを、前記第３のチューナを用いた前記第２チューナ代替放送チャネルの受信品質のチェックと同じ頻度で行うように構成してもよい。
【００１９】
または、以上の放送受信装置は、前記代替放送チャネルチェック部において、少なくとも、前記第１のチューナの受信品質と前記第２のチューナの受信品質の双方のレベルが充分に良好でない場合に、前記第３のチューナを用いた前記第１チューナ代替放送チャネルの受信品質のチェックを、前記第３のチューナを用いた前記第２チューナ代替放送チャネルの受信品質のチェックよりも大きい頻度で行うように構成してもよい。
【００２０】
また、前記課題達成のために、本発明は、第１のチューナと、第２のチューナと、第３のチューナとを備えた放送受信装置に、前記第１のチューナと前記第２のチューナとが異なる放送チャネルを受信しているときに、前記第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックする代替放送チャネルチェック部と、前記第１のチューナが受信する放送チャネルを、第１の所定の契機で、前記代替放送チャネルチェック部がチェックした受信品質が良好である前記第１チューナ代替放送チャネルに切り替え、前記第２のチューナが受信する放送チャネルを、第２の所定の契機で、前記代替放送チャネルチェック部がチェックした受信品質が良好である前記第２チューナ代替放送チャネルに切り替えるネットワークフォロー実行部とを設けたものである。但し、前記代替放送チャネルチェック部は、前記第３のチューナを用いた前記第１チューナ代替放送チャネルの受信品質のチェックと、前記第３のチューナを用いた前記第２チューナ代替放送チャネルの受信品質のチェックとを交互に行うと共に、少なくとも、前記第１のチューナの受信品質のレベルが充分に良好でなく、前記第２のチューナの受信品質のレベルが充分に良好である場合に、初回の前記第１チューナ代替放送チャネルの受信品質のチェックを、初回の前記第２チューナ代替放送チャネルの受信品質のチェックより前に行い、少なくとも、前記第１のチューナの受信品質のレベルが充分に良好であり、前記第２のチューナの受信品質のレベルが充分に良好でない場合に、初回の前記第２チューナ代替放送チャネルの受信品質のチェックを、初回の前記第１チューナ代替放送チャネルの受信品質のチェックより前に行う。
【００２１】
このような放送受信装置によれば、前記第１のチューナと前記第２のチューナとが異なる放送チャネルを受信しているときに、第３のチューナを用いて、第１のチューナが受信中の放送チャネルと同じ内容の放送を行っている放送チャネルである第１チューナ代替放送チャネルの受信品質のチェックと、第２のチューナが受信中の放送チャネルと同じ内容の放送を行っている放送チャネルである第２チューナ代替放送チャネルの受信品質とをチェックを交互に行う際に、前記第１のチューナと前記第２のチューナのうちの、受信品質が劣化している方のチューナの代替放送チャネルの受信品質のチェックを、他方のチューナの代替放送チャネルの受信品質のチェックより前に開始する。したがって、受信品質が劣化している方のチューナの代替放送チャネルの受信品質のチェックが、よりすみやかに完了することが期待できる。
【００２２】
一方で、前記第１のチューナと前記第２のチューナのうちの受信品質が充分に良好でない方のチューナは、他方のチューナの受信品質が充分に良好である場合には、当該他方のチューナよりも近い将来にネットワークフォローを行わなければならなくなる蓋然性が大きい。
【００２３】
したがって、本受信装置によれば、前記第１のチューナと前記第２のチューナのいずれの受信品質が劣化した場合でも、すみやかに、当該受信品質が劣化したチューナについてのネットワークフォローを行えることが期待できる。
【００２４】
ここで、以上の各放送受信装置は、自動車に搭載される放送受信装置であってよい。
また、以上の各放送受信装置は、RDS（Radio Data System）によってデータが音声に多重化されて放送されるFMラジオ放送を受信する放送受信装置であってよく、この場合、前記放送チャネルは、前記FMラジオ放送の周波数チャネルとなる。
【発明の効果】
【００２５】
以上のように、本発明によれば、第１、第２、第３の３つのチューナを備え、第１のチューナと第２のチューナを異なる放送チャネルの受信に用いる放送受信装置において、第１のチューナと第２のチューナの受信状態が劣化したときに、当該受信状態が劣化したチューナで受信する放送チャネルを、すみやかに、受信中の放送チャネルと同じプログラムを放送している受信状態のよい他の放送チャネルに切り替えることができる。
【図面の簡単な説明】
【００２６】
【図１】本発明の実施形態に係るラジオ放送受信システムの構成を示すブロック図である。
【図２】本発明の実施形態に係るステーションリストとＡＦリストを示す図である。
【図３】本発明の実施形態に係るＡＦチェック動作の例を示す図である。
【図４】本発明の実施形態に係るＡＦチェックモード設定処理を示すフローチャートである。
【図５】本発明の実施形態に係るＡＦチェック動作の例を示す図である。
【図６】本発明の実施形態に係るＡＦチェック動作の例を示す図である。
【図７】本発明の実施形態に係るＡＦチェック動作の例を示す図である。
【発明を実施するための形態】
【００２７】
以下、本発明の実施形態について、RDS（Radio Data System）によってデータ信号が音声に多重化されて放送されるFMラジオ放送を受信するラジオ放送受信システムへの適用を例にとり説明する。
【００２８】
ここで、本実施形態に係るラジオ放送受信システムは、自動車に搭載されるラジオ放送受信システムなどの、位置が変動するラジオ放送受信システムである。
【００２９】
図１に、本実施形態に係るラジオ放送受信システムの構成を示す。
図示するように、ラジオ放送受信システムはフォアグランドチューナ部１と、バックグランドチューナ２と、アンプ３と、通信インタフェース４と、制御部５と、操作部６と、表示部７と、メモリ８と、出力セレクタ９と、スピーカ１００と、リアオーディオ出力システム１０１とを備えている。
【００３０】
また、フォアグランドチューナ部１は第１チューナ１１と第２チューナ１２とを備えている。
そして、フォアグランドチューナ部１の第１チューナ１１は、ＦＭ受信チャネルとして設定された周波数チャネルを受信し中間周波信号を出力するフロントエンド１１１、合成部１１２、セレクタ１１３、ＦＭ復調部１１４、ＲＤＳデコーダ１１５とを備えている。
【００３１】
ここで、フロントエンド１１１は、中間周波信号をセレクタ１１３と合成部１１２に出力する。合成部１１２は、フロントエンド１１１から入力する中間周波信号と、後述する第２チューナ１２のフロントエンド１２１から入力する中間周波信号とを位相を調整した上で合成するフェーズダイバシティを行い、合成した中間周波信号をセレクタ１１３に出力する。
【００３２】
セレクタ１１３は、フロントエンド１１１から入力する中間周波信号と合成部１１２から入力する中間周波信号のうちの一方の中間周波信号をＦＭ復調部１１４に出力し、ＦＭ復調部１１４は、セレクタ１１３から出力された中間周波信号をＦＭ復調し、復調した音声信号を出力セレクタ９に出力する。
【００３３】
また、ＲＤＳデコーダ１１５は、ＦＭ復調部１１４が復調した信号に、ＲＤＳ（Radio Data System）によって音声信号に多重化されて送信されたデータ信号が含まれている場合には、データ信号からデータをデコードし制御部５に送る。ここで、データ信号をデコードしたデータには、ＦＭ受信チャネルとして設定された周波数チャネルのステーションからＦＭ放送されるプログラム（番組）の識別子となるプログラム識別子ＰＩや、同じプログラムを放送している周波数チャネルの周波数を示すＡＦなどが含まれる。
【００３４】
また、フロントエンド１１１は、ＦＭ受信チャネルの受信電界強度やＳＮ比や、マルチパスノイズや、隣接ノイズなどのＦＭ受信チャネルのＦＭ放送の受信品質に係る情報を受信品質情報として制御部５に通知する。
【００３５】
次に、フォアグランドチューナ部１の第２チューナ１２は、ＦＭ受信チャネルとして設定された周波数チャネルを受信し中間周波信号を出力するフロントエンド１２１、ＦＭ復調部１２２、ＲＤＳデコーダ１２３とを備えている。
【００３６】
ここで、フロントエンド１２１は、中間周波信号を第１チューナ１１の合成部１１２とＦＭ復調部１２２に出力する。そして、ＦＭ復調部１２２は、フロントエンド１２１から出力された中間周波信号をＦＭ復調し、復調した音声信号を出力セレクタ９に出力する。
【００３７】
また、ＲＤＳデコーダ１２３は、ＦＭ復調部１２２が復調した信号に、上述したデータ信号が含まれている場合には、データ信号からデータをデコードし制御部５に送る。また、フロントエンド１２１は、ＦＭ受信チャネルの受信電界強度やＳＮ比や、マルチパスノイズや、隣接ノイズなどのＦＭ受信チャネルのＦＭ放送の受信品質に係る情報を受信品質情報として制御部５に通知する。
【００３８】
次に、出力セレクタ９は、第１チューナ１１のＦＭ復調部１１４が出力した音声信号と、第２チューナ１２のＦＭ復調部１２２が出力した音声信号のうちの一方を選択的に、アンプ３に出力することができ、アンプ３は、出力セレクタ９から出力された音声信号を増幅しスピーカ１００から出力する。
【００３９】
また、出力セレクタ９は、第１チューナ１１のＦＭ復調部１１４が出力した音声信号と、第２チューナ１２のＦＭ復調部１２２が出力した音声信号のうちの一方を選択的に、通信インタフェース４に出力することができ、通信インタフェース４は、出力セレクタ９から出力された音声信号を、リアオーディオ出力システム１０１に伝送し、リアオーディオ出力システム１０１は伝送された音声信号を、自動車のリアシートのユーザに対して出力する。より、具体的には、リアオーディオ出力システム１０１は、たとえば、通信インタフェース４から伝送された音声信号をリアシートのユーザ用のヘッドホンに出力する。
【００４０】
次に、バックグランドチューナ２は、ＦＭ受信チャネルとして設定された周波数チャネルを受信し中間周波信号を出力するフロントエンド３１、フロントエンド３１から出力されたＦＭ復調するＦＭ復調部３２、ＲＤＳデコーダ３３とを備えている。
【００４１】
ここで、ＲＤＳデコーダ３３は、ＦＭ復調部３２が復調した信号に、上述したデータ信号が含まれている場合には、データ信号からデータをデコードし制御部５に送る。
【００４２】
また、フロントエンド３１は、ＦＭ受信チャネルの受信電界強度やＳＮ比や、マルチパスノイズや、隣接ノイズなどのＦＭ受信チャネルのＦＭ放送の受信品質に係る情報を受信品質情報として制御部５に通知する。
【００４３】
さて、このような構成において、制御部５は、操作部６を介してユーザから、ユーザが指定した周波数チャネルのスピーカ１００のみからの出力を指示された場合には、第１チューナ１１のフロントエンド１１１と第２チューナ１２のフロントエンド１２１に、ユーザが指定した周波数チャネルをＦＭ受信チャネルとして設定し、第１チューナ１１のセレクタ１１３に合成部１１２から入力する中間周波信号を第１チューナ１１のＦＭ復調部１１４に出力させ、出力セレクタ９に第１チューナ１１のＦＭ復調部１１４から入力する音声信号をアンプ３に出力させる。
【００４４】
この結果、第１チューナ１１と第２チューナ１２とを用いたフェーズダイバーシティ方式による、ユーザが指定した周波数チャネルの受信と、当該周波数チャネルで受信したプログラムの音声のスピーカ１００からの出力が行われることになる。
【００４５】
また、制御部５は、操作部６を介してユーザから、ユーザが指定した周波数チャネルのリアオーディオ出力システム１０１のみからの出力を指示された場合には、第１チューナ１１のフロントエンド１１１と第２チューナ１２のフロントエンド１２１に、ユーザが指定した周波数チャネルをＦＭ受信チャネルとして設定し、第１チューナ１１のセレクタ１１３に合成部１１２から入力する中間周波信号を第１チューナ１１のＦＭ復調部１１４に出力させ、出力セレクタ９に第１チューナ１１のＦＭ復調部１１４から入力する音声信号を通信インタフェース４に出力させる。
【００４６】
この結果、第１チューナ１１と第２チューナ１２とを用いたフェーズダイバーシティ方式による、ユーザが指定した周波数チャネルの受信と、当該周波数チャネルで受信したプログラムの音声のリアオーディオ出力システム１０１からの出力が行われることになる。
【００４７】
また、制御部５は、操作部６を介してユーザから、ユーザが指定した第１の周波数チャネルのスピーカ１００からの出力と、ユーザが指定した第２の周波数チャネルのリアオーディオ出力システム１０１からの出力を指示されたときには、第１チューナ１１のフロントエンド１１１に第１の周波数チャネルをＦＭ受信チャネルとして設定し、第１チューナ１１のセレクタ１１３に第１チューナ１１のフロントエンド１１１から入力する中間周波信号を第１チューナ１１のＦＭ復調部１１４に出力させ、第２チューナ１２のフロントエンド１２１に第２の周波数チャネルをＦＭ受信チャネルとして設定し、出力セレクタ９に第１チューナ１１のＦＭ復調部１１４から入力する音声信号をアンプ３に出力させ、第２チューナ１２のＦＭ復調部１２２から入力する音声信号を通信インタフェース４に出力させる。
【００４８】
この結果、第１チューナ１１を用いた第１の周波数チャネルの受信と、当該周波数チャネルで受信したプログラムの音声のスピーカ１００からの出力と、第２チューナ１２を用いた第２の周波数チャネルの受信と、当該周波数チャネルで受信したプログラムの音声のリアオーディオ出力システム１０１からの出力が行われることになる。
【００４９】
次に、図２に、本実施形態においてメモリ８に格納するステーションリストと、第１チューナＡＦリストと、第２チューナＡＦリストを示す。
図２ａに示すように、ステーションリストは現在受信可能な周波数チャネル毎に、その周波数と、その受信品質を登録したリストである。
また、図２ｂ１に示すように、第１チューナＡＦリストは、第１チューナ１１で受信している周波数チャネルと同じプログラムを放送している周波数チャネル毎に、その周波数である代替周波数と、その受信品質を登録したテーブルである。
【００５０】
また、図２ｂ２に示すように、第２チューナＡＦリストは、第２チューナ１２で受信している周波数チャネルと同じプログラムを放送している周波数チャネル毎に、その周波数である代替周波数と、その受信品質を登録したテーブルである。
【００５１】
さて、このようなラジオ放送受信システムの構成において、制御部５は、バックグランドチューナ２を用いて、現在受信可能な周波数チャネルの周波数と受信品質を調査し、ステーションリストに登録する処理を行う。
【００５２】
すなわち、制御部５は、図３に示すように、予めＡＦチェックとステーションサーチに交互に割り当てたタイムスロットTSのうちのステーションサーチに割り当てたタイムスロットTSの期間中に以下の動作を行う。
【００５３】
すなわち、制御部５は、各周波数チャネルを順次対象チャネルに設定し、対象チャネルをバックグランドチューナ２のフロントエンド３１にＦＭ受信チャネルとして設定して対象チャネルの受信動作を行わせると共に、これにより上述のようにフロントエンド３１から通知される受信品質情報から対象チャネルの受信品質を算定し、受信品質が正常に放送を受信可能なレベルにあれば、対象チャネルの周波数と算定した受信品質をステーションリストに登録する動作を、ステーションサーチに割り当てたタイムスロットTSの期間中に行う。
【００５４】
また、制御部５は、操作部６のユーザ操作に応じて、表示部７にステーションリストに登録されている放送局の周波数の一覧を表示し、一覧中からユーザによって選択された放送局の周波数を、第１チューナ１１や第２チューナ１２で受信する周波数チャネルの周波数として受け付ける処理を行う。
【００５５】
次に、制御部５は、バックグランドチューナ２を用いて、第１チューナ１１と第２チューナ１２で受信している周波数チャネルと同じプログラムを放送している周波数チャネルの周波数と受信品質を調査し、第１チューナＡＦリストや第２チューナＡＦリストに登録する処理を行う。
【００５６】
すなわち、制御部５は、第１チューナ１１と第２チューナ１２とで同じ周波数チャネルを受信している場合には、制御部５は、まず、第１チューナ１１のＲＤＳデコーダ１１５から送られたＡＦやＰＩから、第１チューナ１１が受信している周波数チャネルと同じプログラムを放送している周波数チャネルの周波数を特定し第１チューナＡＦリストに登録する。
【００５７】
そして、図３に示すように、予めＡＦチェックとステーションサーチに交互に割り当てたタイムスロットTSのうちのＡＦチェックに割り当てたタイムスロットTSの期間中に以下の第１チューナＡＦチェック動作を行う。すなわち、ＡＦチェックに割り当てた最初のタイムスロットTSの開始時刻になったならば、第１チューナＡＦチェック動作を開始し、ＡＦチェックに割り当てた最初のタイムスロットTSの終了時刻になったならば第１チューナＡＦチェック動作を一時停止する。そして、以降は、タイムスロットTSの開始時刻になったならば、第１チューナＡＦチェック動作を一時停止しているところから再開し、タイムスロットTSの終了時刻になったならば、第１チューナＡＦチェック動作を一時停止することを繰り返す。
【００５８】
さて、第１チューナＡＦチェック動作において、制御部５は、まず、第１チューナＡＦリストの先頭に登録されている周波数の周波数チャネルを対象チャネルに設定し、対象チャネルをバックグランドチューナ２のフロントエンド３１にＦＭ受信チャネルとして設定して対象チャネルの受信動作を行わせると共に、これにより上述のようにフロントエンド３１から通知される受信品質情報から対象チャネルの受信品質を算定し、算定した対象チャネルの受信品質を、対象チャネルとした周波数チャネルの受信品質として第１チューナＡＦリストに登録する。そして、以降は、対象チャネルを、当該対象チャネルの次に第１チューナＡＦリストに登録されている周波数の周波数チャネルに更新し、対象チャネルをバックグランドチューナ２のフロントエンド３１にＦＭ受信チャネルとして設定して対象チャネルの受信動作を行わせると共に、これにより上述のようにフロントエンド３１から通知される受信品質情報から対象チャネルの受信品質を算定し、算定した対象チャネルの受信品質を、対象チャネルとした周波数チャネルの受信品質として第１チューナＡＦリストに登録する処理を繰り返し行う。ただし、対象チャネルが第１チューナＡＦリストの末尾に登録されている周波数の周波数チャネルである場合には、当該対象チャネルの次に第１チューナＡＦリストに登録されている周波数の周波数チャネル、すなわち、次に対象チャネルとする周波数チャネルは、第１チューナＡＦリストの先頭に登録されている周波数の周波数チャネルとする。
【００５９】
一方、制御部５は、第１チューナ１１と第２チューナ１２とで異なる周波数チャネルを受信している場合には、バックグランドチューナ２を用いて、第１チューナ１１と第２チューナ１２で受信している周波数チャネルと同じプログラムを放送している周波数チャネルの周波数と受信品質を調査し、第１チューナＡＦリストと第２チューナＡＦリストに登録する処理を、次のように行う。
【００６０】
すなわち、制御部５は、まず、第１チューナ１１のＲＤＳデコーダ１１５から送られたＡＦやＰＩから、第１チューナ１１が受信している周波数チャネルと同じプログラムを放送している周波数チャネルの周波数を特定し
第１チューナＡＦリストに登録する。また、第２チューナ１２のＲＤＳデコーダ１２３から送られたＡＦやＰＩから、第２チューナ１２が受信している周波数チャネルと同じプログラムを放送している周波数チャネルの周波数を特定し第２チューナＡＦリストに登録する。
【００６１】
そして、次に制御部５は、ＡＦチェックモード設定処理を開始する。
図４に、このＡＦチェックモード設定処理の手順を示す。
図示するように、この処理において、制御部５は、まず、第１チューナ１１のフロントエンド１１１から通知される受信品質情報から第１チューナ１１の現在の受信品質を算定する（ステップ４０２）と共に、第２チューナ１２のフロントエンド１２１から通知される受信品質情報から第２チューナ１２の現在の受信品質を算定する（ステップ４０４）。
【００６２】
そして、第１チューナ１１の現在の受信品質と第２チューナ１２の現在の受信品質のレベルが共に「高」であるかどうかを判定する（ステップ４０６）。
ここで、本実施形態では、受信品質のレベルとして「高」のレベルと「低」のレベルを設ける。「高」のレベルは、放送を充分に良好に受信可能なレベルであり、「低」のレベルは、放送を正常に受信可能であるが「高」のレベルよりは受信品質が良くないレベルである。
【００６３】
そして、第１チューナ１１の現在の受信品質と第２チューナ１２の現在の受信品質のレベルが共に「高」であれば（ステップ４０６）、ＡＦチェックモードとして均等モードを設定し（ステップ４０８）、ステップ４０２からの処理に戻る。
【００６４】
一方、第１チューナ１１の現在の受信品質と第２チューナ１２の現在の受信品質のレベルが共に「高」でなければ、第１チューナ１１の現在の受信品質のレベルが「低」であり、かつ、第２チューナ１２の現在の受信品質のレベルが「高」であるかどうかを判定し（ステップ４１０）、そうであれば、ＡＦチェックモードとして第１チューナ優先モードを設定し（ステップ４１２）、ステップ４０２からの処理に戻る。
【００６５】
また、第１チューナ１１の現在の受信品質のレベルが「低」でないか、第２チューナ１２の現在の受信品質のレベルが「高」でなければ（ステップ４１０）、第１チューナ１１の現在の受信品質のレベルが「高」であり、かつ、第２チューナ１２の現在の受信品質のレベルが「低」であるかどうかを判定し（ステップ４１４）、そうであれば、ＡＦチェックモードとして第２チューナ優先モードを設定し（ステップ４１６）、ステップ４０２からの処理に戻る。
【００６６】
そして、第１チューナ１１の現在の受信品質のレベルが「高」でないか、第２チューナ１２の現在の受信品質のレベルが「低」でない場合（ステップ４１４）、すなわち、第１チューナ１１の現在の受信品質と第２チューナ１２の現在の受信品質のレベルが共に「低」である場合には、ＡＦチェックモードとして第１チューナ優先モードを設定し（ステップ４１８）、ステップ４０２からの処理に戻る。ただし、ステップ４１８では、ＡＦチェックモードとして均等モードを設定するようにしてもよい
以上、制御部５が行うＡＦチェックモード設定処理について説明した。
【００６７】
さて、制御部５は、このようなＡＦチェックモード設定処理によって最初のＡＦチェックモードが設定されたならばＡＦチェック処理を開始する。
ここで、ＡＦチェック処理は、設定されているＡＦチェックモードに従った形態で行う。
すなわち、制御部５は、ＡＦチェック処理において、ＡＦチェックモードとして均等モードが設定されている場合には、図３に示すように、予めＡＦチェックとステーションサーチに交互に割り当てたタイムスロットTSのうちＡＦチェックに割り当てた各タイムスロットTSを、図５ａに示すように、さらに、第１チューナＡＦチェック用のタイムスロットTSと、第２チューナＡＦチェック用のタイムスロットTSに交互に割り当てる。
【００６８】
そして、第１チューナＡＦチェック用のタイムスロットTSの期間中に上述した第１チューナＡＦチェック動作を行い、第２チューナＡＦチェック用のタイムスロットTSの期間中に第２チューナＡＦチェック動作を行う。
【００６９】
すなわち、制御部５は、第１チューナＡＦチェック用の最初のタイムスロットTSの開始時刻になったならば、第１チューナＡＦチェック動作を開始し、第１チューナＡＦチェック用の最初のタイムスロットTSの終了時刻になったならば第１チューナＡＦチェック動作を一時停止する。そして、以降は、第１チューナＡＦチェック用のタイムスロットTSの開始時刻になったならば、第１チューナＡＦチェック動作を一時停止しているところから再開し、第１チューナＡＦチェック用のタイムスロットTSの終了時刻になったならば、第１チューナＡＦチェック動作を一時停止することを繰り返す。
【００７０】
また、制御部５は、同様に、第２チューナＡＦチェック用の最初のタイムスロットTSの開始時刻になったならば、第２チューナＡＦチェック動作を開始し、第２チューナＡＦチェック用の最初のタイムスロットTSの終了時刻になったならば第２チューナＡＦチェック動作を一時停止する。そして、以降は、第２チューナＡＦチェック用のタイムスロットTSの開始時刻になったならば、第２チューナＡＦチェック動作を一時停止しているところから再開し、第２チューナＡＦチェック用のタイムスロットTSの終了時刻になったならば、第２チューナＡＦチェック動作を一時停止することを繰り返す。
【００７１】
ここで、第２チューナＡＦチェック動作において、制御部５は、まず、第２チューナＡＦリストの先頭に登録されている周波数の周波数チャネルを対象チャネルに設定し、対象チャネルをバックグランドチューナ２のフロントエンド３１にＦＭ受信チャネルとして設定して対象チャネルの受信動作を行わせると共に、これにより上述のようにフロントエンド３１から通知される受信品質情報から対象チャネルの受信品質を算定し、算定した対象チャネルの受信品質を、対象チャネルとした周波数チャネルの受信品質として第２チューナＡＦリストに登録する。そして、以降は、対象チャネルを、当該対象チャネルの次に第２チューナＡＦリストに登録されている周波数の周波数チャネルに更新し、対象チャネルをバックグランドチューナ２のフロントエンド３１にＦＭ受信チャネルとして設定して対象チャネルの受信動作を行わせると共に、これにより上述のようにフロントエンド３１から通知される受信品質情報から対象チャネルの受信品質を算定し、算定した対象チャネルの受信品質を、対象チャネルとした周波数チャネルの受信品質として第２チューナＡＦリストに登録する処理を繰り返し行う。ただし、対象チャネルが第２チューナＡＦリストの末尾に登録されている周波数の周波数チャネルである場合には、当該対象チャネルの次に第２チューナＡＦリストに登録されている周波数の周波数チャネル、すなわち、次に対象チャネルとする周波数チャネルは、第２チューナＡＦリストの先頭に登録されている周波数の周波数チャネルとする。
【００７２】
次に、制御部５は、ＡＦチェック処理において、ＡＦチェックモードとして第１チューナ優先モードが設定されている場合には、図３に示すように、予めＡＦチェックとステーションサーチに交互に割り当てたタイムスロットTSのうちＡＦチェックに割り当てた各タイムスロットTSを、図５ｂに示すように、さらに、第１チューナＡＦチェック用のタイムスロットTSと、第２チューナＡＦチェック用のタイムスロットTSに割り当てる。ここで、第１チューナＡＦチェック用のタイムスロットTSと、第２チューナＡＦチェック用のタイムスロットTSの割り当ては、所定の期間中に出現する、第１チューナＡＦチェック用のタイムスロットTSの数と第２チューナＡＦチェック用のタイムスロットTSの数の比が、ｎ：ｍ（但し、ｎ＞ｍ）となるように行う。すなわち、所定の期間中に出現する、第１チューナＡＦチェック用のタイムスロットTSの数を、第２チューナＡＦチェック用のタイムスロットTSの数より多くする。ここで、ｎ、ｍの値は、ｎ＞ｍとなるように予め定めておく。なお、図５ｂでは、ｎ=２、ｍ=１であり、第１チューナＡＦチェック用のタイムスロットTSの数と第２チューナＡＦチェック用のタイムスロットTSのタイムスロットTSの数の比は２：１である。
【００７３】
また、第１チューナＡＦチェック用のタイムスロットTSと、第２チューナＡＦチェック用のタイムスロットTSの割り当てにおいては、第１チューナＡＦチェック用のタイムスロットTSを最初に、ＡＦチェック用のタイムスロットTSに割り当てる。
【００７４】
そして、第１チューナＡＦチェック用のタイムスロットTSの期間中に上述した第１チューナＡＦチェック動作を行い、第２チューナＡＦチェック用のタイムスロットTSの期間中に上述した第２チューナＡＦチェック動作を行う。
【００７５】
次に、制御部５は、ＡＦチェック処理において、ＡＦチェックモードとして第２チューナ優先モードが設定されている場合には、図３に示すように、予めＡＦチェックとステーションサーチに交互に割り当てたタイムスロットTSのうちＡＦチェックに割り当てた各タイムスロットTSを、図５ｃに示すように、さらに、第１チューナＡＦチェック用のタイムスロットTSと、第２チューナＡＦチェック用のタイムスロットTSに割り当てる。ここで、第１チューナＡＦチェック用のタイムスロットTSと、第２チューナＡＦチェック用のタイムスロットTSの割り当ては、所定の期間中に出現する、第１チューナＡＦチェック用のタイムスロットTSの数と第２チューナＡＦチェック用のタイムスロットTSの数の比が、ｍ：ｎ（但し、ｎ＞ｍ）となるように行う。すなわち、所定の期間中に出現する、第２チューナＡＦチェック用のタイムスロットTSの数を、第１チューナＡＦチェック用のタイムスロットTSの数より多くする。ここで、ｎ、ｍの値は、ｎ＞ｍとなるように予め定めておく。なお、図５ｃでは、ｎ=２、ｍ=１であり、第１チューナＡＦチェック用のタイムスロットTSの数と第２チューナＡＦチェック用のタイムスロットTSのタイムスロットTSの数の比は１：２である。
【００７６】
また、第１チューナＡＦチェック用のタイムスロットTSと、第２チューナＡＦチェック用のタイムスロットTSの割り当てにおいては、第２チューナＡＦチェック用のタイムスロットTSを最初に、ＡＦチェック用のタイムスロットTSに割り当てる。
【００７７】
そして、第１チューナＡＦチェック用のタイムスロットTSの期間中に上述した第１チューナＡＦチェック動作を行い、第２チューナＡＦチェック用のタイムスロットTSの期間中に上述した第２チューナＡＦチェック動作を行う。
【００７８】
以上のように、第１チューナ優先モード、第２チューナ優先モードにおける第１チューナＡＦチェック用のタイムスロットTSと第２チューナＡＦチェック用のタイムスロットTSの割り当て行うことにより、第１チューナ１１と第２チューナ１２のうちの、受信品質が劣っている方のチューナのＡＦチェックが、より大きい頻度で行われることなる。したがって、受信品質が劣っている方のチューナのＡＦチェックが、よりすみやかに完了することが期待できる。
【００７９】
一方で、第１チューナ１１と第２チューナ１２のうちの、受信品質が劣っている方のチューナは、他方のチューナ部よりも近い将来にネットワークフォローを行わなければならなくなる蓋然性が大きい。よって、以上のようなタイムスロットTSの割り当てを行うことにより、第１チューナ１１と第２チューナ１２のいずれの受信品質が劣化した場合でも、すみやかに、当該受信品質が劣化したチューナについてのＮＦ（ネットワークフォロー）動作を行えることが期待できる。なお、ＮＦ動作の詳細については後述する。
【００８０】
以上、制御部５の、第１チューナＡＦリスト、第２チューナＡＦリストに周波数と受信品質を登録する処理について説明した。
ところで、制御部５は、ＡＦチェック処理において、ＡＦチェックモードとして第１チューナ優先モードが設定されている場合には、図６ａに示すように、ＡＦチェックモードとして第２チューナ優先モードが設定されている場合には、図６ｂに示すように、第１チューナＡＦチェック用のタイムスロットTSと、第２チューナＡＦチェック用のタイムスロットTSの割り当てを行うようにしてもよい。
【００８１】
すなわち、ＡＦチェックモードとして第１チューナ優先モードが設定されている場合には、図６ａに示すように、ＡＦチェックとステーションサーチにタイムスロットTSを交互に割り当てる。そして、さらに、ＡＦチェックに割り当てた各タイムスロットTSを、第１チューナＡＦチェック用のタイムスロットTSと、第２チューナＡＦチェック用のタイムスロットTSに交互に割り当てる。また、第１チューナＡＦチェック用のタイムスロットTSの時間長と、第２チューナＡＦチェック用のタイムスロットTSの時間長の比が、ｎ：ｍ（但し、ｎ＞ｍ）となるように、すなわち、第１チューナＡＦチェック用のタイムスロットTSの時間長が第２チューナＡＦチェック用のタイムスロットTSの時間長よりも長くなるように、第１チューナＡＦチェック用のタイムスロットTSの時間長と、第２チューナＡＦチェック用のタイムスロットTSの時間長を設定する。また、第１チューナＡＦチェック用のタイムスロットTSと、第２チューナＡＦチェック用のタイムスロットTSの割り当てにおいては、第１チューナＡＦチェック用のタイムスロットTSを最初に、ＡＦチェックのタイムスロットTSに割り当てる。
【００８２】
また、ＡＦチェックモードとして第２チューナ優先モードが設定されている場合には、図６ｂに示すように、ＡＦチェックとステーションサーチにタイムスロットTSを交互に割り当てる。そして、さらに、ＡＦチェックに割り当てた各タイムスロットTSを、第１チューナＡＦチェック用のタイムスロットTSと、第２チューナＡＦチェック用のタイムスロットTSに交互に割り当てる。また、第１チューナＡＦチェック用のタイムスロットTSの時間長と、第２チューナＡＦチェック用のタイムスロットTSの時間長の比が、ｍ：ｎ（但し、ｎ＞ｍ）となるように、すなわち、第２チューナＡＦチェック用のタイムスロットTSの時間長が第１チューナＡＦチェック用のタイムスロットTSの時間長の時間長よりも長くなるように、第１チューナＡＦチェック用のタイムスロットTSの時間長と、第２チューナＡＦチェック用のタイムスロットTSの時間長を設定する。また、第１チューナＡＦチェック用のタイムスロットTSと、第２チューナＡＦチェック用のタイムスロットTSの割り当てにおいては、第２チューナＡＦチェック用のタイムスロットTSを最初に、ＡＦチェックのタイムスロットTSに割り当てる。
【００８３】
図６に示すように、第１チューナＡＦチェック用のタイムスロットTSと第２チューナＡＦチェック用のタイムスロットTSの割り当てを行っても、第１チューナ１１と第２チューナ１２のうちの、受信品質が劣っている方のチューナのＡＦチェックが、より大きい頻度で行われることなる。したがって、図５に示した場合と同様に、第１チューナ１１と第２チューナ１２のいずれの受信品質が劣化した場合でも、すみやかに、当該受信品質が劣化したチューナについてのＮＦ（ネットワークフォロー）動作を行えることが期待できる。
または、制御部５は、ＡＦチェック処理において、ＡＦチェックモードとして第１チューナ優先モードが設定されている場合と、ＡＦチェックモードとして第２チューナ優先モードが設定されている場合には、次のように、第１チューナＡＦチェック用のタイムスロットTSと、第２チューナＡＦチェック用のタイムスロットTSの割り当てを行うようにしてもよい。
【００８４】
すなわち、ＡＦチェックモードとして第１チューナ優先モードが設定されている場合には、図６ａと同様に、ＡＦチェックとステーションサーチにタイムスロットTSを交互に割り当て、さらに、ＡＦチェックに割り当てた各タイムスロットTSを、第１チューナＡＦチェック用のタイムスロットTSと、第２チューナＡＦチェック用のタイムスロットTSに交互に割り当てる。また、第１チューナＡＦチェック用のタイムスロットTSの時間長Ｔ１と、第２チューナＡＦチェック用のタイムスロットTSに割り当てるタイムスロットTSの時間長Ｔ２の比が、Ｔ１/Ｔ２＞ｋ１/ｋ２となるように設定する。ここで、ｋ１は第１チューナＡＦリストに登録されている周波数チャネル（周波数）の数であり、ｋ２は第１チューナＡＦリストに登録されている周波数チャネル（周波数）の数である。また、第１チューナＡＦチェック用のタイムスロットTSと、第２チューナＡＦチェック用のタイムスロットTSの割り当てにおいては、第１チューナＡＦチェック用のタイムスロットTSを最初に、ＡＦチェックのタイムスロットTSに割り当てる。
【００８５】
そして、ＡＦチェックモードとして第２チューナ優先モードが設定されている場合には、図６ｂと同様に、ＡＦチェックとステーションサーチにタイムスロットTSを交互に割り当て、さらに、ＡＦチェックに割り当てた各タイムスロットTSを、第１チューナＡＦチェック用のタイムスロットTSと、第２チューナＡＦチェック用のタイムスロットTSに交互に割り当てる。そして、第１チューナＡＦチェック用のタイムスロットTSの時間長Ｔ１と、第２チューナＡＦチェック用のタイムスロットTSに割り当てるタイムスロットTSの時間長Ｔ２の比が、Ｔ２/Ｔ１＞ｋ２/ｋ１となるように設定する。また、第１チューナＡＦチェック用のタイムスロットTSと、第２チューナＡＦチェック用のタイムスロットTSの割り当てにおいては、第２チューナＡＦチェック用のタイムスロットTSを最初に、ＡＦチェックのタイムスロットTSに割り当てる。
【００８６】
このように、第１チューナ優先モード、第２チューナ優先モードにおける第１チューナＡＦチェック用のタイムスロットTSと第２チューナＡＦチェック用のタイムスロットTSの割り当て行うことにより、第１チューナ１１と第２チューナ１２のうちの受信品質が劣っている方のチューナのＡＦリストに登録されている周波数チャネルの全ての受信品質のチェックが、他方のチューナのＡＦリストに登録されている周波数チャネルの全ての受信品質のチェックより前に完了することを保証できるようになる。
【００８７】
または、制御部５は、ＡＦチェック処理において、ＡＦチェックモードとして第１チューナ優先モードが設定されている場合には、図７ａに示すように、ＡＦチェックモードとして第２チューナ優先モードが設定されている場合には、図７ｂに示すように、第１チューナＡＦチェック用のタイムスロットTSと、第２チューナＡＦチェック用のタイムスロットTSを割り当てるようにしてもよい。
【００８８】
すなわち、ＡＦチェックモードとして第１チューナ優先モードが設定されている場合には、図７ａに示すように、ＡＦチェックとステーションサーチにタイムスロットTSを交互に割り当てる。そして、さらに、ＡＦチェックに割り当てた各タイムスロットTSを、第１チューナＡＦチェック用のタイムスロットTSと、第２チューナＡＦチェック用のタイムスロットTSに交互に割り当てる。また、第１チューナＡＦチェック用のタイムスロットTSの時間長を、上述した第１チューナＡＦチェック動作によって、第１チューナＡＦリストに登録されている全ての周波数チャネル（周波数）について、一度ずつ、その受信品質を検出して第１チューナＡＦリストに登録するのに要する時間とし、第２チューナＡＦチェック用のタイムスロットTSの時間長を、第２チューナＡＦリストに登録されている全ての周波数チャネル（周波数）について、一度ずつ、その受信品質を検出して第２チューナＡＦリストに登録するのに要する時間とする。また、第１チューナＡＦチェック用のタイムスロットTSと、第２チューナＡＦチェック用のタイムスロットTSの割り当てにおいては、第１チューナＡＦチェック用のタイムスロットTSを最初に、ＡＦチェックのタイムスロットTSに割り当てる。
【００８９】
そして、ＡＦチェックモードとして第２チューナ優先モードが設定されている場合には、図７ｂに示すように、ＡＦチェックとステーションサーチにタイムスロットTSを交互に割り当てる。そして、さらに、ＡＦチェックに割り当てた各タイムスロットTSを、第１チューナＡＦチェック用のタイムスロットTSと、第２チューナＡＦチェック用のタイムスロットTSに交互に割り当てる。また、第１チューナＡＦチェック用のタイムスロットTSの時間長を、上述した第１チューナＡＦチェック動作によって、第１チューナＡＦリストに登録されている全ての周波数チャネル（周波数）について、一度ずつ、その受信品質を検出して第１チューナＡＦリストに登録するのに要する時間とし、第２チューナＡＦチェック用のタイムスロットTSの時間長を第２チューナＡＦリストに登録されている全ての周波数チャネル（周波数）について、一度ずつ、その受信品質を検出して第２チューナＡＦリストに登録するのに要する時間とする。また、第１チューナＡＦチェック用のタイムスロットTSと、第２チューナＡＦチェック用のタイムスロットTSの割り当てにおいては、第２チューナＡＦチェック用のタイムスロットTSを最初に、ＡＦチェックのタイムスロットTSに割り当てる。
【００９０】
図７に示したように、第１チューナ優先モード、第２チューナ優先モードにおける第１チューナＡＦチェック用のタイムスロットTSと第２チューナＡＦチェック用のタイムスロットTSの割り当て行っても、第１チューナ１１と第２チューナ１２のうちの受信品質が劣っている方のチューナのＡＦリストに登録されている周波数チャネルの全ての受信品質のチェックが、他方のチューナのＡＦリストに登録されている周波数チャネルの全ての受信品質のチェックより前に完了することを保証できる。
【００９１】
さて、次に、制御部５は、このような第１チューナＡＦリスト、第２チューナＡＦリストを用いて、上述したＮＦ動作を以下のように行う。
すなわち、制御部５は、第１チューナ１１と第２チューナ１２とで異なる周波数チャネルを受信している場合には、第１チューナ１１のフロントエンド１１１から通知される受信品質情報から算定される受信品質が所定レベルより劣化したときに、第１チューナＡＦリストに登録されている最も受信品質が良い周波数の周波数チャネルに、第１チューナ１１のフロントエンド１１１のＦＭ受信チャネルを更新し、第２チューナ１２のフロントエンド１２１から通知される受信品質情報から算定される受信品質が所定レベルより劣化したときに、第２チューナＡＦリストに登録されている最も受信品質がよい周波数の周波数チャネルに、第２チューナ１２のフロントエンド１２１のＦＭ受信チャネルを更新する。
【００９２】
ここで、所定レベルは、たとえば、周波数チャネルを正常に受信できなくなる受信品質のレベルに所定のマージンを加えたレベルとする。
また、制御部５は、第１チューナ１１と第２チューナ１２とで同じ周波数チャネルを受信している場合には、第１チューナ１１のフロントエンド１１１から通知される受信品質情報から算定される受信品質と第２チューナ１２のフロントエンド１２１から通知される受信品質情報から算定される受信品質とのうちのいずれかが、所定レベルより劣化したときに、第１チューナＡＦリストに登録されている最も受信品質がよいの周波数の周波数チャネルに、第１チューナ１１のフロントエンド１１１のＦＭ受信チャネルと、第２チューナ１２のフロントエンド１２１のＦＭ受信チャネルを更新する。
【００９３】
以上、本発明の実施形態について説明した。
ところで、以上では、RDS（Radio Data System）によってデータ信号が音声に多重化されて放送されるFMラジオ放送を受信するラジオ放送受信システムへの適用を例にとり、本発明の実施形態を示したが、本実施形態は、DAB、DAB+などのサイマル放送を行うデジタルラジオ放送や、その他のサイマル放送を行うデジタルテレビ放送などにも同様に適用することができる。
【符号の説明】
【００９４】
１…フォアグランドチューナ部、２…バックグランドチューナ、３…アンプ、４…通信インタフェース、５…制御部、６…操作部、７…表示部、８…メモリ、９…出力セレクタ、１１…第１チューナ、１２…第２チューナ、３１…フロントエンド、３２…ＦＭ復調部、３３…ＲＤＳデコーダ、１００…スピーカ、１０１…リアオーディオ出力システム、１１１…フロントエンド、１１２…合成部、１１３…セレクタ、１１４…ＦＭ復調部、１１５…ＲＤＳデコーダ、１２１…フロントエンド、１２２…ＦＭ復調部、１２３…ＲＤＳデコーダ。
【図１】
0006587496.tif 000002
【図２】
0006587496.tif 000003
【図３】
0006587496.tif 000004
【図４】
0006587496.tif 000005
【図５】
0006587496.tif 000006
【図６】
0006587496.tif 000007
【図７】
0006587496.tif 000008